(57)【特許請求の範囲】
【請求項１】
容器内容物およびエアの混合作用に基づく泡生成機能を備え、かつ、全体が単一物品化されたままネジキャップに組み込み可能な泡生成放出ユニットであって、
内容物通路域を有する筒状の単一ステムを分けた態様の下流側ステム部材と、
内容物放出操作時に前記下流側ステム部材からの流入内容物がエア貯留用空間域からのエアと混合されて放出口へと流出する下流側通路域、
当該下流側通路域への流入側に設定されて当該流入内容物および当該エアの混合作用を呈し、内側には当該下流側ステム部材が取り付けられてその外周面側を当該エアが通過する筒状の混合通路部材、
および当該混合通路部材の回りの外側環状壁部を有する放出操作部材と、
前記下流側ステム部材および前記放出操作部材の一体物の通路域の一部に設けられた泡生成用のメッシュ部と、
前記放出操作部材の内容物放出操作に応じて開閉するエア流入部を有し、前記外側環状壁部の内周面および前記下流側ステム部材の下側外周面のそれぞれに移動可能な形で当接したシール状態に保持される筒状のエア取込用弁部材と、
前記下流側ステム部材，前記放出操作部材，前記泡生成作用部および前記エア取込用弁部材のそれぞれとは単独別部材であって、当該エア取込用弁部材の内周面に、移動可能およびエア通過可能な形で当接した状態に保持されるとともに、前記混合通路部材の内周面に移動可能な形で当接したシール状態に保持され、かつ、当該放出操作部材の内容物放出操作に応じた当該単独別部材の全体移動により、当該下流側ステム部材の上側外周面との間で弁作用を呈する筒状のエア供給用弁部材と、を備え、
前記エア貯留用空間域は、
前記混合通路部材，前記外側環状壁部，前記エア取込用弁部材，前記下流側ステム部材および前記エア供給用弁部材のそれぞれにより設定される、前記エア流入部から前記弁作用の部分までの閉空間域である、
ことを特徴とする泡生成放出ユニット。
【請求項２】
前記エア取込用弁部材は、
エア流入用の孔部と、
前記エア供給用弁部材を保持する内周面部分に形成されたエア通過用溝状部と、を有し、
前記下流側ステム部材は、
前記エア供給用弁部材との弁作用機能を備えた、環状テーパ面を有し、
前記混合通路部材は、
前記下流側ステム部材と係合する内周面部分にエア流出用溝状部を有している、
ことを特徴とする請求項１記載の泡生成放出ユニット。
【請求項３】
前記エア取込用弁部材は、
内容物放出操作解除時の復帰方向への移動範囲を規制するための、前記ネジキャップとの被係合部を有している、
ことを特徴とする請求項１または２記載の泡生成放出ユニット。
【請求項４】
前記下流側ステム部材は、
前記単一ステムを分けた態様の上流側ステム部材に対する係合部分を有している、
ことを特徴とする請求項１乃至３のいずれかに記載の泡生成放出ユニット。
【請求項５】
請求項１乃至４のいずれかに記載の泡生成放出ユニットが前記ネジキャップに組み込まれ、その組込み状態で容器本体に取り付けることができる内容物泡放出ポンプ機構であって、
前記ネジキャップと一体のハウジングに、前記単一ステムを分けた態様の上流側ステム部材が移動可能な形で設けられ、
前記上流側ステム部材は前記下流側ステム部材と係合している、
ことを特徴とする内容物泡放出ポンプ機構。
【請求項６】
請求項３に記載の泡生成放出ユニットが前記ネジキャップに組み込まれ、その組込み状態で容器本体に取り付けることができる内容物泡放出ポンプ機構であって、
前記ネジキャップは、
前記被係合部に対する係合部を上面の環状起立部に有している、
ことを特徴とする内容物泡放出ポンプ機構。
【請求項７】
請求項５または６に記載の内容物泡放出ポンプ機構を備え、かつ、放出対象の液状内容物を収容した、
ことを特徴とするポンプ式製品。
【発明の詳細な説明】
【技術分野】
【０００１】
本発明は、放出操作時の容器内容物と空気との混合作用に基づく泡生成機能を備えていないポンプ機構のネジキャップ部分などに外付け可能な泡生成放出ユニットに関する。
【０００２】
適用対象の液状内容物としては、例えば石けん，消毒剤，化粧品，乳液、シェービングフォーム，ヘアスタイリングフォーム，洗剤，染毛剤，シャンプー，リンス，殺虫剤など、後述のように各種のものがある。
【背景技術】
【０００３】
ポンプ容器の液状内容物に対する泡生成作用部をポンプ機構のネジキャップの外側部分に形成した内容物泡放出ポンプ機構は、下記の特許文献１などで開示されている。
【０００４】
この内容物泡放出ポンプ機構は、
(11)容器本体の開口部に螺子結合するネジキャップ
(12)ネジキャップに取り付けられたシリンダ（ハウジング）の内部空間域を昇降する単一ステム
(13)単一ステムの下流側に取り付けられた内容物放出操作部材のスパウト（放出ノズルヘッド）
(14)この単一ステムの上側露出部分を取り囲む態様でネジキャップとスパウトとの間に設けられて、泡生成用エアを当該スパウトの内容物通路域に送り込む蛇腹ポンプ
などの各構成要素からなっている。
【先行技術文献】
【特許文献】
【０００５】
【特許文献１】実開昭６０−７５２６８号公報
【発明の概要】
【発明が解決しようとする課題】
【０００６】
この従来の内容物泡放出ポンプ機構の組立時には、上述の単一ステム，スパウト，蛇腹ポンプなどの各構成要素を個々に所定の手順でネジキャップに対して組み込んでいくことが必要となる。
【０００７】
すなわち、単一ステム，スパウト，蛇腹ポンプなどの各構成要素をユニット化して、ネジキャップへの最終組立まではこのユニット単位で管理するといったことができない。
【０００８】
そのため、内容物泡放出ポンプ機構が完成するまでの生産工程において各構成要素を効率的に管理することが難しい、という問題点を有していた。
【０００９】
そこで、本発明では、
(21)内容物通路域を備えた内容物放出操作部材（スパウト）と結合して一体化されてハウジング内部を昇降するステムを、少なくともスパウト側の下流側ステム部材と、ハウジング側の上流側ステム部材との別部材からなる形にした上で、
(22)内容物放出操作部材およびこれと一体化した下流側ステム部材の全体内容物通路域の一部に泡生成作用部を設け、
(23)この泡生成作用部を有する一体物（内容物放出操作部材，下流側ステム部材）と、
当該一体物との間にエア供給用空間域を画定し、作動モード設定操作に応じて当該空間域のエアを泡生成作用部の上流側の内容物通路域部分に供給するためのエア用弁部材と、をユニット化し、
すなわち内容物の泡生成から外部空間への放出までに関する構成要素を、ネジキャップ，ハウジングや上流側ステム部材などの（泡生成およびその後の放出経路に関与しない）内容物専用通路機構とは別のユニット単位で管理し、
(24)これにより、内容物泡放出ポンプ機構の生産工程における泡生成関連部材の管理の容易化，確実化を図るとともに、当該ポンプ機構全体の生産の効率化を図ることを目的とする。
【課題を解決するための手段】
【００１０】
本発明は、以上の課題を次のようにして解決する。
〔１〕容器内容物およびエアの混合作用に基づく泡生成機能を備え、かつ、全体が単一物品化されたままネジキャップ（例えば後述のネジキャップ１２）に組み込み可能な泡生成放出ユニット（例えば後述の泡生成放出ユニット２０）であって、
内容物通路域を有する筒状の単一ステムを分けた態様の下流側ステム部材（例えば後述の下流側ステム部材２１）と、
内容物放出操作時に前記下流側ステム部材からの流入内容物がエア貯留用空間域（例えば後述のエア貯留用空間域Ｃ）からのエアと混合されて放出口へと流出する下流側通路域（例えば後述の下流側通路域２５ｃ）、
当該下流側通路域への流入側に設定されて当該流入内容物および当該エアの混合作用を呈し、内側には当該下流側ステム部材が取り付けられてその外周面側を当該エアが通過する筒状の混合通路部材（例えば後述の混合通路部材２２）、
および当該混合通路部材の回りの外側環状壁部（例えば後述の外側環状壁部２５ａ）を有する放出操作部材（例えば後述のスパウト２５，混合通路部材２２）と、
前記下流側ステム部材および前記放出操作部材の一体物の通路域の一部に設けられた泡生成用のメッシュ部（例えば後述の上流側メッシュ部材２３，下流側メッシュ部材２４，方形状メッシュ部３１，大小円状メッシュ部３２，蜂の巣状メッシュ部３３，同一円状メッシュ部３４，ターゲット状メッシュ部３５）と、
前記放出操作部材の内容物放出操作に応じて開閉するエア流入部（例えば後述のエア流入用孔部２６ｄ）を有し、前記外側環状壁部の内周面および前記下流側ステム部材の下側外周面のそれぞれに移動可能な形で当接したシール状態に保持される筒状のエア取込用弁部材（例えば後述のエア取込用弁部材２６）と、
前記下流側ステム部材，前記放出操作部材，前記泡生成作用部および前記エア取込用弁部材のそれぞれとは単独別部材であって、当該エア取込用弁部材の内周面に、移動可能およびエア通過可能な形で当接した状態に保持されるとともに、前記混合通路部材の内周面に移動可能な形で当接したシール状態に保持され、かつ、当該放出操作部材の内容物放出操作に応じた当該単独別部材の全体移動により、当該下流側ステム部材の上側外周面との間で弁作用を呈する筒状のエア供給用弁部材（例えば後述のエア供給用弁部材２７）と、を備え、
前記エア貯留用空間域は、
前記混合通路部材，前記外側環状壁部，前記エア取込用弁部材，前記下流側ステム部材および前記エア供給用弁部材のそれぞれにより設定される、前記エア流入部から前記弁作用の部分までの閉空間域である、
構成態様のものを用いる。
〔２〕上記〔１〕において、
前記エア取込用弁部材は、
エア流入用の孔部（例えば後述のエア流入用孔部２６ｄ）と、
前記エア供給用弁部材を保持する内周面部分に形成されたエア通過用溝状部（例えば後述のエア通過用溝状部２６ｈ）と、を有し、
前記下流側ステム部材は、
前記エア供給用弁部材との弁作用機能を備えた、環状テーパ面（例えば後述の環状テーパ面２１ｃ）を有し、
前記混合通路部材は、
前記下流側ステム部材と係合する内周面部分にエア流出用溝状部（例えば後述のエア流出用溝状部２２ａ）を有している、
構成態様のものを用いる。
〔３〕上記〔１〕，〔２〕において、
前記エア取込用弁部材は、
内容物放出操作解除時の復帰方向への移動範囲を規制するための、前記ネジキャップとの被係合部（例えば後述の突状部２６ｇ）を有している、
構成態様のものを用いる。
〔４〕上記〔１〕〜〔３〕において、
前記下流側ステム部材は、
前記単一ステムを分けた態様の上流側ステム部材（例えば後述の上流側ステム部材１３）に対する係合部分を有している、
構成態様のものを用いる。
〔５〕上記〔１〕〜〔４〕にいずれかに記載の泡生成放出ユニットが前記ネジキャップに組み込まれ、その組込み状態で容器本体（例えば後述の容器本体１１）に取り付けることができる内容物泡放出ポンプ機構であって、
前記ネジキャップと一体のハウジング（例えば後述のハウジング１５）に、前記単一ステムを分けた態様の上流側ステム部材（例えば後述の上流側ステム部材１３）が移動可能な形で設けられ、
前記上流側ステム部材は前記下流側ステム部材と係合している、
構成態様のものを用いる。
〔６〕上記〔３〕に記載の泡生成放出ユニットが前記ネジキャップに組み込まれ、その組込み状態で容器本体に取り付けることができる内容物泡放出ポンプ機構であって、
前記ネジキャップは、
前記被係合部に対する係合部（例えば後述の凹状部１２ｂ）を上面の環状起立部（例えば後述の環状起立部１２ａ）に有している、
構成態様のものを用いる。
【００１１】
本発明は、以上の構成からなる泡生成放出ユニット，内容物泡放出ポンプ機構および当該内容物泡放出ポンプ機構を備えたポンプ式製品を対象としている。
【発明の効果】
【００１２】
本発明はこのように、内容物泡放出ポンプ機構のステム部材を、ハウジング側の上流側ステム部材と放出操作部材側の下流側ステム部材との別部材に分けた上で、内容物の泡生成から外部空間への放出までに関する構成要素を、ネジキャップ，ハウジングや上流側ステム部材などの（泡生成およびその後の放出経路に関与しない）内容物専用通路機構とは別のユニット態様にしている。
【００１３】
そのため、内容物泡放出ポンプ機構の生産工程における泡生成関連部材の管理の容易化，確実化を図るとともに、当該ポンプ機構全体の生産の効率化を図ることができる。
【図面の簡単な説明】
【００１４】
【図１】泡生成放出ユニットを示す説明図である。
【図２】泡生成放出ユニットをネジキャップに組み込むときの初期段階を示す説明図である。
【図３】泡生成放出ユニットをネジキャップに組み込むときの最終段階を示す説明図である。
【図４】内容物泡放出ポンプ機構（を備えたポンプ式製品）の静止モードを示す説明図である。
【図５】内容物泡放出ポンプ機構（を備えたポンプ式製品）の作動モードを示す説明図である。
【図６】図５の作動モードに続くステム下死点状態を示す説明図である。
【図７】図６のステム下死点状態から静止モードへ復帰する際の、エア貯留用空間域Ｃおよび容器本体１１へのエア流入（補充）状態を示す説明図である。
【図８】各種タイプの泡生成用メッシュ部を示す説明図である。
【発明を実施するための形態】
【００１５】
図１〜図８を用いて本発明を実施するための形態を説明する。
【００１６】
以上の図で用いるアルファベット付き参照番号の構成要素（例えば環状起立部１２ａ）は原則として、当該参照番号の数字部分の構成要素（例えばネジキャップ１２）の一部であることを示している。
【００１７】
図２〜図７の容器側（容器本体およびネジキャップなど）の構成に関して、
１１は後述の放出対象の各種液状内容物が収容された容器本体，
１２は容器本体１１に螺合態様で取り付けられたネジキャップ，
１２ａは当該ネジキャップの上面に形成された環状起立部，
１２ｂは当該環状起立部の外周面上端部分の周方向に形成されたアンダーカット係合用の凹状部，
１３はネジキャップ１２と一体化された後述のハウジング１５の内部空間域に上下動可能な形で配設され、コイルスプリングの弾性作用により上方向に付勢される上流側ステム部材，
１４は上流側ステム部材を上方向に付勢するコイルスプリング，
１５は次回の放出対象内容物を収容するハウジング，
１６はハウジング１５の内部に配設されて静止モードのときに閉状態となる吐出弁，
Ａはハウジング１５の内部空間域の、吐出弁１６と、その上流側の周知の吸込弁（図示省略）との間に設定される内容物貯留用空間域，
をそれぞれ示している。
【００１８】
また、図１〜図７の、ネジキャップ１２にいわば外付けされる内容物の泡生成放出用ユニットの構成に関して、
２０は後述の下流側ステム部材２１〜エア供給用弁部材２７の各構成要素からなる泡生成放出ユニット，
２１は上流側ステム部材１３の上端側外周面と嵌合して内容物通路部を有する筒状の下流側ステム部材，
２１ａは当該下流側ステム部材の上側からなる小径筒状部分，
２１ｂは当該下流側ステム部材の下側からなる大径筒状部分，
２１ｃは小径筒状部分２１ａと大径筒状部分２１ｂとのいわばインタフェース域に相当する範囲の外周面に形成されてエア供給の弁作用を呈する環状テーパ面，
２２は下流側ステム部材２１の上端側外周面と嵌合して内容物と空気との混合作用を呈する筒状の混合通路部材，
２２ａは下流側ステム部材２１と嵌合する内周面部分の上下方向に複数形成されたエア流出用溝状部，
２２ｂは内容物およびエアの混合通路として作用する上側内部空間域，
２２ｃは当該混合通路部材の下端から上方に続く大径の下側内周面，
２３は混合通路部材２２の上側内周面（上側内部空間域２２ｂ）に取り付けられて内容物の泡生成作用を呈する上流側メッシュ部材（図８参照），
２４は混合通路部材２２の上側内周面（上側内部空間域２２ｂ）に取り付けられて内容物の泡生成作用を呈する下流側メッシュ部材（図８参照），
２５は混合通路部材２２の上端側外周面と嵌合した作動モードの設定操作部材であって、上側内部空間域２２ｂのメッシュ部材２３，２４を通過した後の泡内容物を外部空間域に放出するためのスパウト，
２５ａは当該スパウトの上下方向の外側環状壁部（環状垂下部），
２５ｂは当該スパウトの上下方向の内側環状垂下部（＝混合通路部材２２に対する嵌合部分）の外周面に複数形成されて、後述のエア取込用弁部材２６の泡生成放出ユニット２０へのセット位置（最上位置）を定めるための上下方向のストッパーリブ，
２５ｃはメッシュ部材２３，２４などの作用でエアと混合された内容物が通過する下流側通路域，
２６は下流側ステム部材２１の下側外周面およびスパウト２５（外側環状壁部２５ａ）の内周面にそれぞれ強く当接し、また後述のエア供給用弁部材２７のスカート部２７ｂに弱く当接し、かつ、ネジキャップ１２の筒状起立部１２ａの上端部分に載った状態で保持されている筒状のエア取込用弁部材，
２６ａは外側環状壁部２５ａの内周面に対向する形の外側筒状部，
２６ｂは環状起立部１２ａと大径筒状部分２１ｂとの間の環状空間域に入り込む形の内側筒状部，
２６ｃは外側筒状部２６ａと内側筒状部２６ｂとの上端部分同士を連結する形の環状天井部，
２６ｄは当該環状天井部の上下方向に複数形成されたエア流入用孔部，
２６ｅは外側筒状部２６ａの上端側に形成されてスパウト２５（外側筒状部２５ａ）の内周面に強く当接する逆スカート部，
２６ｆは外側筒状部２６ａの内周面の上下方向に複数形成されたエア流入用溝状部，
２６ｇは外側筒状部２６ａの内周面下端部分の周方向に形成されたアンダーカット係合用の突状部，
２６ｈは内側筒状部２６ｂの下側の小径内周面の上下方向に複数形成されたエア通過用溝状部，
２６ｊは当該小径内周面の下端部分に形成されて大径筒状部分２１ｂの外周面に強く当接するスカート部，
２７は混合通路部材２２の下側内周面２２ｃおよびエア取込用弁部材２６の小径内周面部分（エア通過用溝状部２６ｈが形成されている内周面部分）のそれぞれに当接した状態で、下流側ステム部材２１の環状テーパ面２１ｃとの弁作用を呈するエア供給用弁部材，
２７ａは下側内周面２２ｃと当接してシール作用を呈する逆スカート部，
２７ｂはエア取込用弁部材２６の内側筒状部２６ｂの小径内周面部分と当接するスカート部，
２７ｃはスパウト２５の押下げ操作にともなって環状テーパ面２１ｃとの密接状態（閉状態）から離間状態に移行する環状の弁作用部，
Ｂは吐出弁１６の下流側に設定されて、上流側ステム部材１３，下流側ステム部材２１，混合通路部材２２およびスパウト２５の各内部空間からなる内容物放出通路，
Ｃはスパウト２５の外側環状壁部２５ａ内部の、下流側ステム部材２１（大径筒状部分２１ｂ，環状テーパ面２１ｃ），混合通路部材２２，エア取込用弁部材２６およびエア供給用弁部材２７との間に、設定されるエア貯留用空間域，
をそれぞれ示している。
【００１９】
また、図８の内容物泡生成用の各種メッシュに関して、
３１は方形状メッシュ部，
３２は大小円状メッシュ部，
３３は蜂の巣状メッシュ部，
３４は同一円状メッシュ部，
３５はターゲット状メッシュ部，
をそれぞれ示している。
【００２０】
ここで、容器本体１１，ネジキャップ１２，上流側ステム部材１３，ハウジング１５，下流側ステム部材２１，混合通路部材２２，上流側メッシュ部材２３，下流側メッシュ部材２４，スパウト２５，エア取込用弁部材２６，エア供給用弁部材２７および各種メッシュ部３１〜３４はそれぞれ、ポリプロピレン，ポリエチレン，ポリアセタール，ナイロン，ポリブチレンテレフタレートなどからなるプラスチック製のものである。
【００２１】
コイルスプリング１４は金属製またはプラスチック製のものであり、吐出弁１６はゴム製，金属製またはプラスチック製のものである
【００２２】
図示の内容物泡放出ポンプ機構の基本的特徴は、
(31)通常は単一部材からなるステムを、ハウジング側の上流側ステム部材１３とスパウト側の下流側ステム部材２１とに分割し、
(32)この下流側ステム部材２１と、混合通路部材２２，上流側メッシュ部材２３，下流側メッシュ部材２４，スパウト２５，エア取込用弁部材２６およびエア供給用弁部材２７と、からなる泡生成放出ユニット２０を生成した、
ことである。
【００２３】
図１の泡生成放出ユニット２０の組立手順は例えば、
(41)先ず上流側メッシュ部材２３，下流側メッシュ部材２４およびエア供給用弁部材２７を混合通路部材２２に取り付け、
(42)次にこの一体物の混合通路部材２２をスパウト２５の内側環状垂下部に嵌合させ、
(43)次にエア取込用弁部材２６をスパウト２５にその下側開口部から入れて、当該弁部材の上面内側部分がストッパーリブ２５ｂに当たる状態に設定し、
(44)次に下流側ステム部材２１をエア取込用弁部材２６にその下側開口部から入れて、当該ステム部材が混合通路部材２２の小径内周面部分と嵌合する状態に設定する。
【００２４】
なお、泡生成放出ユニット２０に組み込まれたエア取込用弁部材２６は、
・その内側筒状部２６ｂの小径内周面部分がエア供給用弁部材２７のスカート部２７ｂと当接し、
・その逆スカート部２６ｅがスパウト２５の外側環状壁部２５ａの内周面に強く当接し、
・そのスカート部２６ｊが下流側ステム部材２１の大径筒状部分２１ｂの外周面に強く当接した、
状態になっている。
【００２５】
エア取込用弁部材２６は、これら当接相手のそれぞれとの摩擦作用により図１の状態に確実に保持される。
【００２６】
そのため、泡生成放出ユニット２０がネジキャップ１２および上流側ステム部材１３に取り付けられて最終的なポンプ機構となるまでの生産・管理工程において、エア取込用弁部材２６が当該泡生成放出ユニットから外れてしまうようなことは生じにくい。
【００２７】
図２および図３は、図１の泡生成放出ユニット２０をネジキャップ側に取り付けるときの様子を示している。
【００２８】
その手順は次のとおりである。
(51)先ず、当該ユニットをネジキャップ１２の環状起立部１２ａの方に近づけて、下流側ステム部材２１を上流側ステム部材１３に嵌合させ（この段階のエア取込用弁部材２６は図１の最上位置のまま）、
(52)次に、スパウト２５を押下げて、これと一体のステム部材（上流側ステム部材１３＋下流側ステム部材２１）をコイルスプリング１４の弾性力に抗する形で下降させることにより、エア取込用弁部材２６の突状部２６ｇが環状起立部１２ａの凹状部１２ｂの下方位置となるように設定し（この段階のエア取込用弁部材２６も図１の最上位置のまま）、
(53)次に、スパウト２５の押下げ操作を解除し、泡生成放出ユニット２０および上流側ステム部材１３がコイルスプリング１４の弾性復帰作用で上昇することにより、エア取込用弁部材２６の突状部２６ｇが環状起立部１２ａの凹状部１２ｂにアンダーカット係合し、かつ、泡生成放出ユニット２０の、エア取込用弁部材２６以外のスパウト２５などのヘッド部が略上昇しきった状態の静止モードに設定される（図４参照）。
【００２９】
このようにして、泡生成機能なしのポンプ容器のネジキャップ側に泡生成放出ユニット２０が外付けされる。
【００３０】
なお、上記(53)のスパウト２５などの上昇動作のとき、ステム（上流側ステム部材１３＋下流側ステム部材２１），混合通路部材２２およびスパウト２５の各部材は一体となって移動する。
【００３１】
また、エア供給用弁部材２７は、その弁作用部２７ｃが下流側ステム部材２１の環状テーパ面２１ｃと当接した状態で、当該下流側ステム部材により押し上げられる。
【００３２】
図４の内容物泡放出ポンプ機構の静止モードでは、上述したように、スパウト２５などのヘッド部（スパウト２５およびこれと一体の混合通路部材２２，下流側ステム部材２１，上流側ステム部材１３）がコイルスプリング１４の弾性作用により上方向に移動した状態になっている。
【００３３】
この静止モードのとき、
(61)内容物放出通路Ｂは、吐出弁１６の周知の閉弁作用によりハウジング１５の内容物貯留用空間域Ａから遮断され、
(62)エア貯留用空間域Ｃは、
下流側ステム部材２１の環状テーパ面２１ｃとエア供給用弁部材２７の弁作用部２７ｃとの密接作用により内容物放出通路Ｂから遮断され、かつ、
エア取込用弁部材２６のエア流入用孔部と環状起立部１２ａの上端部分との離間作用により外部空間域と連通している。
【００３４】
すなわち、閉空間状態の内容物貯留用空間域Ａには次回の放出対象内容物が収容され、外部空間域と連通して内容物放出通路Ｂから遮断された状態の空気貯留用空間域Ｃには泡生成用の空気が収容されている。
【００３５】
なお、これら放出対象内容物および空気の収容動作はそれぞれ、図７に示すように、直前の作動モード設定操作の解除にともなうヘッド部の静止モードへの復帰動作の際におこなわれる。
【００３６】
図５に示すように、利用者のスパウト２５に対する押圧操作により、静止モードの上記ヘッド部がコイルスプリング１４に抗する形で押し下げられると、吐出弁１６および空気供給弁（環状テーパ面２１ｃ＋弁作用部２７ｃ）はそれぞれ放出状態（作動モード）に遷移する。
【００３７】
図５の遷移過程では、当該ヘッド部が下動するのにともない内容物貯留用空間域Ａの容積が小さくなってそこでの内容物圧力が大きくなるため、吐出弁１６はそれまでの閉状態から開状態へと変化する。なお、周知の内容物吸込弁（図示省略）は閉状態を維持する。
【００３８】
その結果、内容物貯留用空間域Ａの内容物は、「上流側ステム部材１３−下流側ステム部材２１−混合通路部材２２−スパウト２５」の内容物放出通路Ｂを経て、外部空間域に放出される。
【００３９】
また、エア取込用弁部材２６が、その逆スカート部２６ｅとスパウト２５の外側環状壁部２５ａとの当接摩擦作用および、そのスカート部２６ｊと下流側ステム部材２１の大径筒状部分２１ｂとの当接摩擦作用により、下方向に連動する。
【００４０】
この下方向への移動により、エア取込用弁部材２６のエア流入用孔部２６ｄは環状起立部１２ａの上端部分と当接して閉状態となる。
【００４１】
この閉状態となったエア貯留用空間域Ｃは、スパウト２５の下動にともなって容積が小さくなり、そこでのエア圧力が大きくなる。
【００４２】
そのため、エア供給用弁部材２７が下流側ステム部材２１および混合通路部材２２に対して相対的に上昇して、当該弁部材の上向き環状段部が混合通路部材２２の下端面に当接するまで移動し、空気供給弁（環状テーパ面２１ｃ＋弁作用部２７ｃ）が開く。
【００４３】
この空気供給弁が開くことにより、エア貯留用空間域Ｃの空気は「エア取込用弁部材２６のエア通過用溝状部２６ｈ−環状テーパ面２１ｃと弁作用部２７ｃとの空間部分−混合通路部材２２のエア流出用溝状部２２ａ」を経て、内容物放出通路Ｂへと流入する。
【００４４】
このように内容物放出通路Ｂには、スパウト２５の押圧操作にともなって内容物貯留用空間域Ａの内容物とエア貯留用空間域Ｃの空気とが流入する。
【００４５】
内容物放出通路Ｂに流入した内容物および空気は、先ず混合された段階で泡立ち状態となり、上流側メッシュ部材２３および下流側メッシュ部材２４を通過することにより内容物の泡が細分化し、また均質化する。
【００４６】
そして、この細分化，均質化された泡状態内容物がスパウト２５の下流側通路域２５ｃを経て外部空間へと放出される。
【００４７】
図６は、図５の作動モードの終了段階を示している。
すなわち上記ヘッド部（スパウト２５およびこれと一体の混合通路部材２２，下流側ステム部材２１，上流側ステム部材１３，エア供給用弁部材２７）が下死点まで移動した状態である。
【００４８】
このとき、スパウト２５のストッパーリブ２５ｂの下端部分がエア取込用弁部材２６の上面内側部分に当接した状態になっている。
【００４９】
図６の作動モード終了段階の、
・エア供給用弁部材２７と混合通路部材２２，下流側ステム部材２１との位置関係
・エア流入用孔部２６ｄと環状起立部１２ａとの接離関係
はともに、図５のそれぞれと同じである。
【００５０】
図７は、利用者がスパウト２５の押圧操作を解除することによって生じる静止モードへの復帰状態を示している。
【００５１】
スパウト２５の押圧操作が解除されると、上記ヘッド部（スパウト２５およびこれと一体の混合通路部材２２，下流側ステム部材２１，上流側ステム部材１３）が、コイルスプリング１４の弾性作用により上方向に移動する。
【００５２】
また、エア供給用弁部材２７は、空気供給弁（環状テーパ面２１ｃ＋弁作用部２７ｃ）が当接したままの状態で、下流側ステム部材２１によっていわば持上げられる。
【００５３】
この押圧操作解除にともない、エア取込用弁部材２６は、スパウト２５の外側環状壁部２５ａの内周面との摩擦係合により上動し、その突状部２６ｇが環状起立部１２ａの凹状部１２ｂとアンダーカット係合する状態、すなわちそのエア流入用孔部２６ｄがネジキャップ１２の環状起立部１２ａから離間した状態に移行する。
【００５４】
このようなヘッド部およびエア取込用弁部材２６の上昇にともない、
(71)周知のごとく吐出弁１６がそれまでの開状態から閉状態へと変化し、
(72)ハウジング１５の内容物貯留用空間域Ａの容積が増加して、当該空間域は容器本体１１内部に対し負圧になるので、周知のごとく吸込弁（図示省略）がそれまでの閉状態から開状態へと変化し、その結果、容器本体１１の内容物が、図示矢印で示すように当該吸込弁から内容物貯留用空間域Ａに流入し、
(73)この内容物の流入に起因する容器本体２５内部の負圧化を防止すべく、外気が、図示矢印で示すように環状起立部１２ａとエア供給用弁部材２７との対向面部分の空間域を経て容器本体内部に流入し、
(74)また、空気貯留用空間域Ｃもその容積が増加して外部空間域に対し負圧になるので、外気が、図示矢印で示すようにエア取込用弁部材２６のエア流入用孔部２６ｄから当該空気貯留用空間域に流入する。
【００５５】
そして周知のように、これらの内容物貯留用空間域Ａへの内容物流入ならびに、容器本体１１内部および空気貯留用空間域Ｃへの外気流入が終了して、図１の静止モードに復帰する。
【００５６】
本発明が以上の実施形態に限定されないことは勿論であり、図１の泡生成放出ユニット２０のエア取込用弁部材２６の逆スカート部２６ｅに対する保持部（突状部など）をスパウト２５の外側環状壁部２５ａの内周面に設けるようにしてもよい。
【００５７】
これは当該弁部材が、上流側ステム部材１４へ取り付けられる前の当該ユニットから不用意に脱落するのを、外側環状壁部２５ａの内周面と逆スカート部２６ｅの上端部との摩擦作用とともに防止するためである。この保持部の作用は勿論、泡生成放出ユニット２０が図３の取付け最終段階から図４の静止モードへと移行する際には保持状態が解除される程度のものである。
【００５８】
また、次のような構成態様からなる泡生成放出ユニットにしてもよい。
(81)作動モード設定操作部としてティルトタイプの回動部材を用いる。
(82)下流側ステム部材２１の上側周面部分に、エア流出用溝状部２２ａに相当するエア供給用孔部をあける。
(83)下流側ステム部材２１の外周面部分に、内容物放出通路Ｂへのエア流出用溝状部（≒エア流出用溝状部２２ａ）を形成する。
(84)上流側メッシュ部材２３および下流側メッシュ部材２４を下流側ステム部材２１の内容物放出通路Ｂに設ける。
【００５９】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６０】
容器本体に収容する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６５】
高分子化合物としては、メチルセルロース，ゼラチン，デンプン，カゼイン，ヒドロキシエチルセルロース，キサンタンガム，カルボキシビニルポリマーなどを用いる。
【００６６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６７】
さらに、上記内容物以外の、懸濁剤，紫外線吸収剤，乳化剤，保湿剤，酸化防止剤、金属イオン封鎖剤なども用いることができる。
【符号の説明】
【００６８】
（１１〜１６，Ａは図２〜図７で使用）
１１：容器本体
１２：ネジキャップ
１２ａ：環状起立部
１２ｂ：アンダーカット係合用の凹状部
１３：上流側ステム部材
１４：コイルスプリング
１５：ハウジング
１６：内容物の吐出弁
Ａ：内容物貯留用空間域
【００６９】
（２０〜２７ｃ，Ｂ，Ｃは図１〜図７で使用）
２０：泡生成放出ユニット
２１：下流側ステム部材
２１ａ：小径筒状部分
２１ｂ：大径筒状部分
２１ｃ：環状テーパ面
２２：混合通路部材
２２ａ：エア流出用溝状部
２２ｂ：上側内部空間域
２２ｃ：下側内周面
２３：上流側メッシュ部材
２４：下流側メッシュ部材
２５：スパウト
２５ａ：外側環状壁部
２５ｂ：ストッパーリブ
２５ｃ：下流側通路域
２６：エア取込用弁部材
２６ａ：外側筒状部
２６ｂ：内側筒状部
２６ｃ：環状天井部
２６ｄ：エア流入用孔部
２６ｅ：逆スカート部
２６ｆ：エア流入用溝状部
２６ｇ：アンダーカット係合用の突状部
２６ｈ：エア通過用溝状部
２６ｊ：スカート部
２７：エア供給用弁部材
２７ａ：逆スカート部
２７ｂ：スカート部
２７ｃ：環状の弁作用部
Ｂ：内容物放出通路
Ｃ：エア貯留用空間域
【００７０】
（３１〜３５は図８のみで使用）
３１：方形状メッシュ部
３２：大小円状メッシュ部
３３：蜂の巣状メッシュ部
３４：同一円状メッシュ部
３５：ターゲット状メッシュ部
【図１】
0005455206.tif 000002
【図２】
0005455206.tif 000003
【図３】
0005455206.tif 000004
【図４】
0005455206.tif 000005
【図５】
0005455206.tif 000006
【図６】
0005455206.tif 000007
【図７】
0005455206.tif 000008
【図８】
0005455206.tif 000009